(57)【要約】本発明に係る携帯情報端末および通信システムは、設定された通知方法に従って情報を通知する通知部１０９と、位置毎に移動速度と通知方法とが対応付けられた通知パターンデータを記憶する通知パターンデータ記憶部１０４と、現在位置および移動速度を検出するセンサ部１０２と、現在位置および移動速度と対応する通知方法を通知パターンデータ記憶部１０４から取得し、取得した通知パターンデータが示す通知方法に従って情報が通知されるよう通知部１０９に設定された通知方法を変更するよう出力ポート１０８を制御する通知方法制御部１０６とを備える。
2004068826.tif 000002
【特許請求の範囲】
【請求項１】
情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置および移動速度に応じて前記複数の通知方法が対応付けられたデータテーブルを記憶する記憶手段と、位置を算出する位置算出手段と、前記位置において移動速度を算出する移動速度算出手段と、前記位置算出手段によって算出された位置と前記移動速度算出手段によって算出された移動速度とに対応する通知方法を前記記憶手段に記憶されたデータテーブルから取得する取得手段と、前記取得手段が取得した通知方法に従って前記情報が通知されるよう前記通知手段に設定された前記通知方法を変更する通知方法変更手段とを備えることを特徴とする携帯情報端末。
【請求項２】
日時を日時情報として管理する日時情報管理手段を備え、
前記記憶手段は、位置、移動速度、および日時に応じて前記複数の通知方法が対応付けられたデータテーブルを記憶し、
前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにしたことを特徴とする請求項１に記載の携帯情報端末。
【請求項３】
前記記憶手段は、複数の位置において位置毎に移動速度に応じて前記複数の通知方法が対応付けられたデータテーブルを記憶することを特徴とする請求項１に記載の携帯情報端末。
【請求項４】
日時を日時情報として管理する日時情報管理手段を備え、
前記記憶手段は、複数の位置において位置毎に移動速度と日時に応じて前記複数の通知方法が対応付けられたデータテーブルを記憶し、
前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにしたことを特徴とする請求項３に記載の携帯情報端末。
【請求項５】
情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置を算出する位置算出手段と、前記位置において移動速度を算出する移動速度算出手段と、前記位置算出手段によって算出された位置と前記移動速度算出手段によって算出された移動速度とに対応する通知方法をネットワークを介して取得する取得手段と、前記取得手段が取得した通知方法に従って前記情報が通知されるよう前記通知手段に設定された前記通知方法を変更する通知方法変更手段とを有する携帯情報端末と、
位置および移動速度に応じて前記複数の通知方法が対応付けられたデータテーブルを有し、前記携帯情報端末の位置算出手段が算出した位置と前記携帯情報端末の移動速度算出手段が算出した移動速度とに対応する通知方法を前記データテーブルから取得し、取得した通知方法を前記ネットワークを介して前記携帯情報端末に送信するサーバとを備えることを特徴とする通信システム。
【請求項６】
前記携帯情報端末は、日時を日時情報として管理する日時情報管理手段を有し、
前記サーバは、前記複数の通知方法が位置、移動速度、および日時に応じて前記複数の通知方法が対応付けられたデータテーブルを有し、
前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにしたことを特徴とする請求項５に記載の通信システム。
【請求項７】
情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、複数の位置を含む地域において位置毎に移動速度に応じて前記複数の通知方法が対応付けられた１つの地域のデータテーブルを記憶する記憶手段と、位置を算出する位置算出手段と、前記位置において移動速度を算出する移動速度算出手段と、前記位置算出手段によって算出された位置が前記記憶手段に記憶された１つの地域のデータテーブルに含まれるか否かを判定し、前記位置算出手段によって算出された位置と前記移動速度算出手段によって算出された移動速度とに対応する通知方法を前記記憶手段に記憶された１つのデータテーブルから取得する取得手段と、前記取得手段が取得した通知方法に従って前記情報が通知されるよう前記通知手段に設定された前記通知方法を変更する通知方法変更手段と、前記位置算出手段によって算出された位置が前記記憶手段に記憶された１つの地域のデータテーブルに含まれないと前記取得手段が判定したとき、前記位置算出手段が算出した位置が示された位置情報をネットワークを介して送信する第１通信手段とを有する携帯情報端末と、
複数の地域のデータテーブルを管理する管理手段と、前記携帯情報端末の前記第１通信手段から送信される前記位置情報に応じて前記管理手段が管理する複数の地域のデータテーブルの内から１つの地域のデータテーブルを選択する選択手段と、前記選択手段が選択した１つの地域のデータテーブルを前記携帯情報端末に送信する第２通信手段とを有するサーバとを備え、
前記携帯情報端末の前記第１通信手段は、前記サーバから前記ネットワークを介して前記１つの地域のデータテーブルを受信し、前記受信した１つの地域のデータテーブルに従って前記携帯情報端末の前記記憶手段に記憶された前記１つの地域のデータテーブルを変更するようにしたことを特徴とする通信システム。
【請求項８】
前記携帯情報端末は、現在の日時を日時情報として管理する日時情報管理手段を有し、
前記携帯情報端末の前記記憶手段は、前記複数の位置において位置毎に移動速度および日時に応じて前記複数の通知方法が対応付けられた１つのデータテーブルを記憶し、
前記サーバの前記管理手段は、複数の位置において位置毎に移動速度および日時に応じて前記複数の通知方法が対応付けられた複数の地域のデータテーブルを有し、
前記携帯情報端末の前記取得手段は、前記位置算出手段によって算出された位置と前記移動速度算出手段によって算出された移動速度と前記日時情報管理手段によって管理された日時とに対応する通知方法を前記記憶手段に記憶された１つのデータテーブルから取得するようにしたことを特徴とする請求項７に記載の通信システム。
【請求項９】
前記携帯情報端末は、予め設定された時間を周期として時間を計時する計時手段を有し、
前記携帯情報端末の前記取得手段は、前記予め設定された時間毎に前記位置算出手段によって算出された位置と前記移動速度算出手段によって算出された移動速度とに対応する通知方法をネットワークを介して前記サーバから取得するようにしたことを特徴とする請求項５に記載の通信システム。
【請求項１０】
前記携帯情報端末は、予め設定された時間を周期として時間を計時する計時手段を有し、
前記携帯情報端末の前記取得手段は、前記予め設定された時間毎に前記位置算出手段によって算出された位置と前記移動速度算出手段によって算出された移動速度と前記日時情報管理手段によって管理された日時とに対応する通知方法をネットワークを介して前記サーバから取得するようにしたことを特徴とする請求項６に記載の通信システム。
【請求項１１】
前記携帯情報端末は、予め設定された時間を周期として時間を計時する計時手段を有し、
前記携帯情報端末の前記取得手段は、前記予め設定された時間毎に前記位置算出手段によって算出された位置と前記移動速度算出手段によって算出された移動速度とに対応する地域のデータテーブルをネットワークを介して前記サーバから取得するようにしたことを特徴とする請求項７に記載の通信システム。
【請求項１２】
前記携帯情報端末は、予め設定された時間を周期として時間を計時する計時手段を有し、
前記携帯情報端末の前記取得手段は、前記予め設定された時間毎に前記位置算出手段によって算出された位置と前記移動速度算出手段によって算出された移動速度と前記日時情報管理手段によって管理された日時とに対応する地域のデータテーブルをネットワークを介して前記サーバから取得するようにしたことを特徴とする請求項８に記載の通信システム。
【請求項１３】
前記携帯情報端末の前記通知手段は、前記通知手段に設定された通知方法の有効期限を示す有効期限情報を有し、
前記携帯情報端末の前記取得手段は、前記携帯情報端末の前記通知手段に設定された通知方法の有効期限が超過したのか否かを判定し、
前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度とに対応する通知方法を前記ネットワークを介して前記サーバから取得するようにしたことを特徴とする請求項５に記載の通信システム。
【請求項１４】
前記携帯情報端末の前記通知手段は、前記通知手段に設定された通知方法の有効期限を示す有効期限情報を有し、
前記携帯情報端末の前記取得手段は、前記携帯情報端末の前記通知手段に設定された通知方法の有効期限が超過したのか否かを判定し、
前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにしたことを特徴とする請求項６に記載の通信システム。
【請求項１５】
前記携帯情報端末の前記記憶手段は、前記記憶手段に記憶された１つの地域のデータテーブルの有効期限を示す有効期限情報を記憶し、
前記携帯情報端末の前記取得手段は、前記記憶手段に記憶された１つの地域のデータテーブルの有効期限が超過したのか否かを判定し、
前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度とに対応する地域のデータテーブルを前記ネットワークを介して前記サーバから取得するようにしたことを特徴とする請求項７に記載の通信システム。
【請求項１６】
前記携帯情報端末の前記記憶手段は、前記記憶手段に記憶された１つの地域のデータテーブルの有効期限を示す有効期限情報を記憶し、
前記携帯情報端末の前記取得手段は、前記記憶手段に記憶された１つの地域のデータテーブルの有効期限が超過したのか否かを判定し、
前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する地域のデータテーブルを前記ネットワークを介して前記サーバから取得するようにしたことを特徴とする請求項８に記載の通信システム。
【発明の詳細な説明】
【技術分野】  本発明は、携帯情報端末および通信システムに関し、詳しくは、位置および移動速度に応じて通知方法を変更する携帯情報端末および通信システムに関する。
【背景技術】  従来、この種の携帯情報端末として電車内や映画館などのように携帯情報端末の使用が望ましくない場所において操作者が情報の通知方法を変更する操作や電源を切断する操作を実行することなく通知方法を変更する携帯情報端末として、例えば、特開２００１−１８９７９７号公報に開示されたものが知られている。
ここで、携帯情報端末とは、携帯電話、ポータブルオーディオ再生装置、ディジタルスチルカメラ、ゲーム機器、ノートパソコン、カーナビゲーション装置、カーオーディオなどの電子機器を含み、音による聴覚的通知方法と文字、図形、および光の視覚的通知方法と振動による触覚的通知方法とを含む複数の通知方法の何れかによって操作者に情報を通知する携帯可能な情報機器をいう。
従来の通信システムは、図８に示すように、携帯情報端末の通過方向を検出する方向検出手段２と、制御信号を生成する信号生成手段３と、制御信号を発信する信号発信手段４とを有するセンサ１と、センサ１からの制御信号を受信する信号受信手段６と、受信した制御信号を検知する信号検知手段７と、発着信を制御する発着信制御手段８と、着信音または着信振動による着信通知手段と、移動している状態か否かを判定するするセンサとを有する携帯情報端末５とを備え、センサ１は、携帯情報端末５の発着信を制限したい区域の出入口に設置され、センサ１が検出した結果に応じて着信音と着信振動の切り替え、または着信音量の変更、もしくは着信振動の振動数を変更するようになっていた。
本発明は、従来の通信システムをさらに改良する発明であって、携帯情報端末を携帯している場所や使用している環境に応じて操作者が操作することなく複数の通知方法の何れかに設定を変更する携帯情報端末および通信システムを提供することを目的とする。
【発明の開示】
第１の発明の携帯情報端末は、情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置および移動速度に応じて前記複数の通知方法が対応付けられたデータテーブルを記憶する記憶手段と、位置を算出する位置算出手段と、前記位置において移動速度を算出する移動速度算出手段と、前記位置算出手段によって算出された位置と前記移動速度算出手段によって算出された移動速度とに対応する通知方法を前記記憶手段に記憶されたデータテーブルから取得する取得手段と、前記取得手段が取得した通知方法に従って前記情報が通知されるよう前記通知手段に設定された前記通知方法を変更する通知方法変更手段とを備える構成を有している。
この構成により、携帯情報端末を携帯したユーザが移動中であっても移動手段が何かを適切に判断し、判断した結果に応じて位置および移動速度に対応する通知方法を取得し、取得した通知方法に変更することができる。
ここで、視覚的通知方法による表示とは、文字や図形による表示、および光などの視覚で認識できる方法により通知することである。
第２の発明の携帯情報端末は、日時を日時情報として管理する日時情報管理手段を備え、前記記憶手段は、位置、移動速度、および日時に応じて前記複数の通知方法が対応付けられたデータテーブルを記憶し、前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにした構成を有している。
この構成により、時間帯によって使用環境が変わるような場所であっても、位置、移動速度、および現在の日時に対応する通知方法を取得し、取得した通知方法に変更することができる。
第３の発明の携帯情報端末は、前記記憶手段は、複数の位置において位置毎に移動速度に応じて前記複数の通知方法が対応付けられたデータテーブルを記憶するようにした構成を有している。
この構成により、携帯情報端末を携帯したユーザが移動中であっても移動手段が何かを適切に判断し、判断した結果に応じて位置および移動速度に対応する通知方法を取得し、取得した通知方法に変更することができる。
第４の発明の携帯情報端末は、日時を日時情報として管理する日時情報管理手段を備え、前記記憶手段は、複数の位置において位置毎に移動速度と日時に応じて前記複数の通知方法が対応付けられたデータテーブルを記憶し、前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにした構成を有している。
この構成により、時間帯によって使用環境が変わるような場所であっても、位置、移動速度、および現在の日時に対応する通知方法を取得し、取得した通知方法に変更することができる。
第５の発明の通信システムは、情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置を算出する位置算出手段と、前記位置において移動速度を算出する移動速度算出手段と、前記位置算出手段によって算出された位置と前記移動速度算出手段によって算出された移動速度とに対応する通知方法をネットワークを介して取得する取得手段と、前記取得手段が取得した通知方法に従って前記情報が通知されるよう前記通知手段に設定された前記通知方法を変更する通知方法変更手段とを有する携帯情報端末と、位置および移動速度に応じて前記複数の通知方法が対応付けられたデータテーブルを有し、前記携帯情報端末の位置算出手段が算出した位置と前記携帯情報端末の移動速度算出手段が算出した移動速度とに対応する通知方法を前記データテーブルから取得し、取得した通知方法を前記ネットワークを介して前記携帯情報端末に送信するサーバとを備える構成を有している。
この構成により、携帯情報端末は、サーバから通知方法を受信することができるので、位置および移動速度に対応する通知方法を取得し、取得した通知方法に変更することができる。
第６の発明の通信システムは、前記携帯情報端末は、日時を日時情報として管理する日時情報管理手段を有し、前記サーバは、前記複数の通知方法が位置、移動速度、および日時に応じて前記複数の通知方法が対応付けられたデータテーブルを有し、前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにした構成を有している。
この構成により、時間帯によって使用環境が変わるような場所であっても、携帯情報端末は、サーバから通知方法を受信することができるので、位置、移動速度、および現在の日時に対応する通知方法を取得し、取得した通知方法に変更することができる。
第７の発明の通信システムは、情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、複数の位置を含む地域において位置毎に移動速度に応じて前記複数の通知方法が対応付けられた１つの地域のデータテーブルを記憶する記憶手段と、位置を算出する位置算出手段と、前記位置において移動速度を算出する移動速度算出手段と、前記位置算出手段によって算出された位置が前記記憶手段に記憶された１つの地域のデータテーブルに含まれるか否かを判定し、前記位置算出手段によって算出された位置と前記移動速度算出手段によって算出された移動速度とに対応する通知方法を前記記憶手段に記憶された１つのデータテーブルから取得する取得手段と、前記取得手段が取得した通知方法に従って前記情報が通知されるよう前記通知手段に設定された前記通知方法を変更する通知方法変更手段と、前記位置算出手段によって算出された位置が前記記憶手段に記憶された１つの地域のデータテーブルに含まれないと前記取得手段が判定したとき、前記位置算出手段が算出した位置が示された位置情報をネットワークを介して送信する第１通信手段とを有する携帯情報端末と、
複数の地域のデータテーブルを管理する管理手段と、前記携帯情報端末の前記第１通信手段から送信される前記位置情報に応じて前記管理手段が管理する複数の地域のデータテーブルの内から１つの地域のデータテーブルを選択する選択手段と、前記選択手段が選択した１つの地域のデータテーブルを前記携帯情報端末に送信する第２通信手段とを有するサーバとを備え、
前記携帯情報端末の前記第１通信手段は、前記サーバから前記ネットワークを介して前記１つの地域のデータテーブルを受信し、前記受信した１つの地域のデータテーブルに従って前記携帯情報端末の前記記憶手段に記憶された前記１つの地域のデータテーブルを変更するようにした構成を有している。
この構成により、携帯情報端末は、サーバから地域のデータテーブルを受信することができるので、位置および移動速度に対応する通知方法を地域のデータテーブルから取得し、取得した通知方法に変更することができる。また、携帯情報端末は、記憶手段に記憶された地域のデータテーブルを位置に応じて更新することができる。
第８の発明の通信システムは、前記携帯情報端末は、現在の日時を日時情報として管理する日時情報管理手段を有し、前記携帯情報端末の前記記憶手段は、前記複数の位置において位置毎に移動速度および日時に応じて前記複数の通知方法が対応付けられた１つのデータテーブルを記憶し、
前記サーバの前記管理手段は、複数の位置において位置毎に移動速度および日時に応じて前記複数の通知方法が対応付けられた複数の地域のデータテーブルを有し、前記携帯情報端末の前記取得手段は、前記位置算出手段によって算出された位置と前記移動速度算出手段によって算出された移動速度と前記日時情報管理手段によって管理された日時とに対応する通知方法を前記記憶手段に記憶された１つのデータテーブルから取得するようにした構成を有している。この構成により、携帯情報端末は、サーバから地域のデータテーブルを受信することができるので、位置、移動速度、および日時に対応する通知方法を地域のデータテーブルから取得し、取得した通知方法に変更することができる。また、携帯情報端末は、記憶手段に記憶された地域のデータテーブルを位置に応じて更新することができる。
第９の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度とに対応する通知方法をネットワークを介して前記サーバから取得するようにした構成を有している。
この構成により、各携帯情報端末は、サーバから予め設定された時間毎に通知方法を受信することができるので、設定手段に設定された通知方法を予め設定された時間毎に更新することができる。
第１０の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度と前記日時情報管理手段によって管理された日時とに対応する通知方法をネットワークを介して前記サーバから取得するようにした構成を有している。
この構成により、各携帯情報端末は、サーバから予め設定された時間毎に通知方法を受信することができるので、設定手段に設定された通知方法を予め設定された時間毎に更新することができる。
第１１の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度とに対応する地域のデータテーブルをネットワークを介して前記サーバから取得するようにした構成を有している。
この構成により、各携帯情報端末は、サーバから予め設定された時間毎に通知方法を受信することができるので、記憶手段に記憶された地域のデータテーブルを予め設定された時間毎に更新することができる。
第１２の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度と前記日時情報管理手段によって管理された日時とに対応する地域のデータテーブルをネットワークを介して前記サーバから取得するようにした構成を有している。
この構成により、各携帯情報端末は、サーバから予め設定された時間毎に通知方法を受信することができるので、記憶手段に記憶された地域のデータテーブルを予め設定された時間毎に更新することができる。
第１３の発明の通信システムは、前記携帯情報端末の前記通知手段は、前記通知手段に設定された通知方法の有効期限を示す有効期限情報を有し、前記携帯情報端末の前記取得手段は、前記携帯情報端末の前記通知手段に設定された通知方法の有効期限が超過したのか否かを判定し、前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度とに対応する通知方法を前記ネットワークを介して前記サーバから取得するようにした構成を有している。
この構成により、通知手段に設定された通知方法の有効期限が超過している場合、位置および移動速度に対応する通知方法をサーバから取得することができる。
第１４の発明の通信システムは、前記携帯情報端末の前記通知手段は、前記通知手段に設定された通知方法の有効期限を示す有効期限情報を有し、前記携帯情報端末の前記取得手段は、前記携帯情報端末の前記通知手段に設定された通知方法の有効期限が超過したのか否かを判定し、前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにした構成を有している。
この構成により、通知手段に設定された通知方法の有効期限が超過している場合、位置、移動速度、および日時に対応する通知方法をサーバから取得することができる。
第１５の発明の通信システムは、前記携帯情報端末の前記記憶手段は、前記記憶手段に記憶された１つの地域のデータテーブルの有効期限を示す有効期限情報を記憶し、前記携帯情報端末の前記取得手段は、前記記憶手段に記憶された１つの地域のデータテーブルの有効期限が超過したのか否かを判定し、前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度とに対応する地域のデータテーブルを前記ネットワークを介して前記サーバから取得するようにした構成を有している。
この構成により、記憶手段に記憶された１つの地域のデータテーブルの有効期限が超過している場合、位置および移動速度に対応する地域のデータテーブルをサーバから取得することができる。
第１６の発明の通信システムは、前記携帯情報端末の前記記憶手段は、前記記憶手段に記憶された１つの地域のデータテーブルの有効期限を示す有効期限情報を記憶し、前記携帯情報端末の前記取得手段は、前記記憶手段に記憶された１つの地域のデータテーブルの有効期限が超過したのか否かを判定し、前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する地域のデータテーブルを前記ネットワークを介して前記サーバから取得するようにした構成を有している。
この構成により、記憶手段に記憶された１つの地域のデータテーブルの有効期限が超過している場合、位置、移動速度、および日時に対応する地域のデータテーブルをサーバから取得することができる。
【図面の簡単な説明】  本発明に係るディスク装置の特徴および長所は、以下の図面と共に、後述される記載から明らかになる。
第１図は、本発明の第１の実施の形態の携帯情報端末の構成を示すブロック図である。
第２図は、本発明の第１の実施の形態の携帯情報端末の動作を示すフローチャートである。
第３図は、本発明の第１の実施の形態の携帯情報端末の記憶部に記憶された通知パターンデータの構成を示す図である。
第４図は、本発明の第１の実施の形態の携帯情報端末の記憶部に記憶された通知パターンデータであって、位置と移動速度に応じて通知方法が関連付けられたデータテーブルの一例を示す図である。
第５図は、本発明の第２の実施の形態の通信システムの構成を示すブロック図である。
第６図は、本発明の第２の実施の形態の通信システムの動作を示すフローチャートである。
第７図は、本発明の第２の実施の形態の通信システムの通信手順を示すタイミングチャートである。
第８図は、従来の通信システムを示すブロック図である。
【発明を実施するための最良の形態】  以下、図１乃至７を参照し、本発明の実施の形態の携帯情報端末および通信システムについて説明する。
まず初めに、本発明の第１の実施の形態の携帯情報端末および通信システムについて説明する。
図１に示すように、本発明の第１の実施の形態の携帯情報端末１０１は、情報を通知する通知方法として音による聴覚的通知方法と文字、図形、および光などの表示による視覚的通知方法と振動による触覚的通知方法とを含む複数の通知方法の内の何れかが設定され、設定された通知方法に従って前記情報を通知する通知部１０９と、複数の位置において位置毎に移動速度に応じて複数の通知方法が対応付けられた通知パターンデータを示すデータテーブルを記憶する通知パターンデータ記憶部１０４と、現在位置および移動速度を検出するセンサ部１０２と、センサ部１０２によって検出された現在位置および移動速度の誤差を補正し、現在位置および移動速度を算出する測位演算部１０３と、現在の日時を日時情報として管理する日時情報管理部１０５と、複数の通知方法の何れかが設定される出力ポート１０８と、アプリケーションソフトを実行し、実行した結果を出力ポート１０８に出力するアプリケーション実行部１０７と、測位演算部１０３によって算出された現在位置および移動速度と通知パターンデータ記憶部１０４に記憶された通知パターンデータとを比較し、現在位置および移動速度に対応する通知方法を通知パターンデータ記憶部１０４から取得し、取得した通知パターンデータが示す通知方法に従って通知されるよう出力ポート１０８に設定された通知方法を変更するよう出力ポート１０８を制御する通知方法制御部１０６と、出力ポート１０８に設定された通知方法に従ってアプリケーションソフトが実行された結果、すなわち、情報を通知する通知部１０９とを備えている。
また、通知部１０９は、音による聴覚的通知方法と文字、図形、および光の視覚的通知方法と振動による触覚的通知方法とを含む複数の通知方法に対応するよう、スピーカおよびスピーカの音量を制御する音量制御部、発光素子（以下単に、ＬＥＤという）、ディスプレイ、およびバイブレータを有している。
また、センサ部１０２と測位演算部１０３は位置算出手段および移動速度算出手段を構成し、通知方法制御部１０６は取得手段と通知方法変更手段を構成し、通知パターンデータ記憶部１０４、日時情報管理部１０５、および通知部１０９はそれぞれ記憶手段、日時情報管理手段、および通知手段を構成している。また、センサ部１０２は、グローバルポジショニングシステム（以下単に、ＧＰＳという）のＧＰＳ受信機、方位センサ、および速度センサによって構成されている。
ＧＰＳ受信機は、ＧＰＳ衛星から信号を受信し、受信したＧＰＳ衛星の信号の伝播時間を計測し、現在位置を算出するようになっている。また、ＧＰＳ衛星から受信した信号の受信周波数のドップラーシフト量を計測し、携帯情報端末１０１の移動速度を算出してもよい。また、ＧＰＳ衛星からの信号を受信できない屋内ではＧＰＳ受信機は測位ができないので、単位時間当たりの車輪の回転数や歩数を計測するような速度センサと、地磁気方位センサまたはジャイロセンサによって旋回時の角速度出力を積分する方位センサとを組み合わせて測位を実行してもよい。また、道路交通情報通信システムの電波ビーコンまたは光ビーコン、自動料金収受システム、または無線通信によりローカルエリアネットワークのホットスポットサービスなどの信号を受信し、位置を特定してもよい。
また、本実施の形態の携帯情報端末１０１は、操作者が携帯情報端末１０１を携帯している場所や使用している環境に応じて通知方法が変更されるよう移動速度を検出する速度センサを備えているが、予め設定された時間毎に算出される現在位置から単位時間当たりの位置の差分を算出し、算出した差分から平均移動速度を求めてもよい。
また、本実施の形態の携帯情報端末１０１は、操作者が携帯情報端末１０１を携帯している場所や使用している環境に応じて通知方法が変更されるよう現在の日時を示す日時情報を管理する日時情報管理部１０５を備えているが、ＧＰＳ受信機を利用して日時を計時してもよい。
さらに、本実施の形態の携帯情報端末１０１において、操作者が携帯情報端末１０１を携帯している場所や使用している環境に応じて通知方法が変更されるよう通知パターンデータ記憶部１０４は、位置毎に移動速度と複数の通知方法とを対応付けた通知パターンデータを記憶し、通知方法制御部１０６が、測位演算部１０３によって算出された現在位置および移動速度に対応する通知パターンデータを通知パターンデータ記憶部１０４から取得するようになっているが、通知パターンデータ記憶部１０４は、位置毎に移動速度および日時と複数の通知方法とを対応付けた通知パターンデータを記憶し、通知方法制御部１０６が、測位演算部１０３によって算出された現在位置および移動速度と日時情報管理部１０５によって管理された日時情報が示す現在の日時とに対応する通知パターンデータを通知パターンデータ記憶部１０４から取得するようにしてもよい。
次に、図２を参照し、携帯情報端末１０１の動作を説明する。
まず初めに、センサ部１０２が取得した現在位置および移動速度が補正され、携帯情報端末１０１の現在位置および移動速度が測位演算部１０３によって算出される（ステップＳ２０１）。次いで、日時情報管理部１０５によって現在の日付および時刻が取得される（ステップＳ２０２）。次いで、ステップＳ２０１で算出された現在位置および移動速度に対応する通知パターンデータが通知パターンデータ記憶部１０４から取得される。このとき、測位演算部１０３によって算出された現在位置および移動速度と通知パターンデータ記憶部１０４に記憶された通知パターンデータとが比較され、測位演算部１０３によって算出された現在位置が通知パターンデータの示す位置範囲内であるのか否か、および測位演算部１０３によって算出された移動速度が通知パターンデータの示す速度範囲内であるのか否かが判定され、判定条件を満たすと判定されたときステップＳ２０４に進み、判定条件を満たさないと判定されたときステップＳ２０５に進む（ステップＳ２０３）。次いで、ステップＳ２０２で取得した日時情報が示す現在の日時と通知パターンデータ記憶部１０４の通知パターンデータに含まれる日時情報が示す日時とが一致しているかどうかが判定され、一致していると判定されたときステップＳ２０５に進み、一致していないと判定されたときステップＳ２０６に進む（ステップＳ２０４）。
次いで、情報を通知する通知方法として文字、図形、および光の視覚的通知方法が出力ポート１０８に設定され、出力ポート１０８の設定に従って文字情報が通知される（ステップＳ２０５）。
一方、情報を通知する通知方法として音による聴覚的通知方法が出力ポート１０８に設定され、出力ポート１０８の設定に従って音声で通知される（ステップＳ２０６）。
また、操作者が携帯情報端末１０１を携帯している場所や使用している環境に応じて通知方法が変更されるよう移動速度の上限値と下限値を示す速度情報を含む通知パターンデータを予め通知パターンデータ記憶部１０４に記憶しておくことにより、通知パターンデータと測位演算部１０３によって算出された移動速度とを比較して、携帯情報端末１０１を携帯する操作者が乗物に乗車して移動中であるのか、徒歩で移動中であるのかを適切に判定することができる。さらに、バスや電車などの時刻情報と路線情報を予め通知パターンデータ記憶部１０４に記憶しておくことにより、公共機関の乗物に乗って移動中であるのか否かを判定することができる。さらに、公共機関の乗物に乗って移動中でないと判定したときには、操作者が自動車を運転している可能性があることを考慮し、文字情報として出力すると周囲道路への注意力が低下して危険であるため、文字情報を音声にて読み上げる。また、公共機関の乗物に乗って移動していると判定できるときには、周囲の人に迷惑がかかるような騒音を発生させないよう文字表示にて通知する。
本実施の形態の携帯情報端末１０１は、情報を通知する方法として、文字表示による通知と音声による通知の例について説明したが、音声の音量や音色を変えたり、文字の表示色や文字数などを変更するような構成としても良い。
次に、図３を参照し、通知パターンデータ記憶部１０４に記憶された通知パターンデータの内容について説明する。
通知パターンデータの通知方法３０１には、情報を通知する通知方法として音による聴覚的通知方法と文字、図形、および光の視覚的通知方法と振動による触覚的通知方法とを含む複数の通知方法の何れかが設定される。この通知方法３０１には、例えば、通知部１０９の音声、画面表示、および振動による通知方法と数値とを対応付けて通知方法が設定される。さらに通知方法３０１には、通知方法に応じて音量や文字数、振動数などのデータを加えても良い。次に、時刻条件３０２には、通知パターンデータを有効とする曜日、日付、時間等の情報が数値と対応付けて設定される。次に、速度範囲３０３には、通知パターンデータを有効とする速度範囲について、速度上限値と下限値が設定される。位置情報種別３０４には、位置情報が示す位置は点、線、領域の何れを示すのかが数値と対応付けて設定される。次に、位置情報データ３０５には、位置情報種別３０４に設定された内容に応じて、緯度、経度、高度等の位置データの集合が設定される。
また、通知パターンデータ記憶部１０４は、図４に示すように、位置と移動速度に応じて複数の内の少なくとも１つの通知方法が関連付けられたデータテーブルを有している。
以上説明したように、本発明の第１の実施の形態の携帯情報端末は、センサ部によって算出された現在位置および移動速度に対応する通知パターンデータを記憶部から取得し、取得した通知パターンデータが示す通知方法に変更されるので、携帯されている場所や使用されている環境に応じた通知方法で情報を通知することができる。
次に、図５を参照し、本発明の第２の実施の形態の通信システムについて説明する。
通信システム４０１は、携帯情報端末４０２と、携帯情報端末４０２と通信する通知パターンサーバ４１０とを備えている。携帯情報端末４０２は、第１の実施の形態の携帯情報端末１０１の構成に加え、第１通信制御部４０３を有している。
携帯情報端末４０２の第１通信制御部４０３は、通知パターンサーバ４１０と通信するときの接続および切断を制御し、測位演算部１０３が算出した現在位置が示された位置情報を通知パターンサーバ４１０に送信し、通知パターンサーバ４１０から位置情報が示す現在位置に応じた地域の通知パターンデータを受信し、通知パターンデータ記憶部１０４に記憶するようになっている。
通知パターンサーバ４１０は、複数の位置を複数の地域に区分し、通知パターンデータを地域毎に管理する通知パターンデータセット記憶部４１２と、地域毎に管理された通知パターンデータから位置情報が示す現在位置に応じた地域の通知パターンデータを選択する通知パターン選択部４１３と、携帯情報端末４０２から位置情報を受信し、受信した位置情報が示す現在位置に応じた地域の通知パターンデータを携帯情報端末４０２に送信する第２通信制御部４１１とを有している。
また、通知パターンデータセット記憶部４１２と通知パターン選択部４１３は、それぞれ管理手段と選択手段を構成している。
第２通信制御部４１１は、携帯情報端末４０２から接続要求されると、使用者情報やパスワードにより接続するのか否かを判定する認証処理を実行するようになっている。また、通知パターンデータセット記憶部４１２は、ハードディスク装置、磁気テープ、半導体メモリなどの記憶装置によって構成され、図３に示された複数の通知パターンデータを記憶するようになっている。さらに、携帯情報端末４０２と通知パターンサーバ４１０とは、通信手段４２０を介して接続されている。この通信手段４２０は、携帯電話や無線ローカルエリアネットワークなどによる無線通信や、イーサーネット、加入電話回線、ユニバーサルシリアルバスなどの有線通信によって構成される。
次に、図６および図７を参照し、通信システムの動作について説明する。
通信手段４２０の有無が判定され、通信手段４２０が接続されていると判定されたときにはステップＳ５０２に進み、通信手段４２０が接続されていないと判定されたときには処理を終了する（ステップＳ５０１）。携帯情報端末４０２の現在位置が測位演算部１０３によって算出される（ステップＳ５０２）。次いで、現在の日時が日時情報管理部１０５によって取得される（ステップＳ５０３）。次いで、通知パターンデータを更新するのか否かが判定され、通知パターンデータを更新すると判定されたときにはステップＳ５０７に進み、通知パターンデータを更新しないと判定されたときにはステップＳ５０５に進む（ステップＳ５０４）。次いで、通知パターンデータの有効期間が超過したのか否かが判定され、通知パターンデータが有効期間を超過したと判定されたときにはステップＳ５０７に進み、通知パターンデータが有効期間を超過していないと判定されたときにはステップＳ５０６に進む（ステップＳ５０５）。次いで、ステップＳ５０２で算出された現在位置が通知パターンデータ記憶部１０４に記憶された通知パターンデータの有効範囲内であるのか否かが判定され、有効範囲内であると判定されたときには処理を終了し、有効範囲外であると判定されたときにはステップＳ５０７に進む（ステップＳ５０６）。次いで、第１通信制御部４０３から第２通信制御部４１１に対して接続要求が送信され、通知パターンサーバ４１０において認証が成功したとき、認証が成功したことを示す接続完了応答が第２通信制御部４１１から第１通信制御部４０３に送信される（ステップＳ５０７）。次いで、第１通信制御部４０３から通知パターンサーバ４１０に位置情報が送信され、送信された位置情報が示す現在位置に応じた地域の通知パターンデータが通知パターンサーバ４１０から第１通信制御部に送信される（ステップＳ５０８）。次いで、通知パターンサーバ４１０から受信した通知パターンデータに従って通知パターンデータ記憶部１０４に記憶された通知パターンデータが更新される（ステップＳ５０９）。次いで、第１通信制御部４０３から通知パターンサーバ４１０に対して切断要求が送信され、第１通信制御部４０３が通知パターンサーバ４１０から送信された通信完了応答を受信し、処理を終了する（ステップＳ５１０）。
図７を参照し、携帯情報端末４０２と通知パターンサーバ４１０との間の通信手順を説明する。
まず初めに、携帯情報端末４０２から通知パターンサーバ４１０に接続要求が送信される（ステップＳ６０１）。このとき、携帯情報端末４０２から通知パターンサーバ４１０に対して使用者識別情報やパスワードが送信され、通知パターンサーバ４１０において認証が成功したときには、認証が成功したことを示す接続完了応答が携帯情報端末４０２に送信される（ステップＳ６０１）。次いで、携帯情報端末４０２から通知パターンサーバ４１０に現在位置が示された位置情報が送信される（ステップＳ６０２）。次いで、位置情報に応じた地域の通知パターンデータが通知パターンサーバ４１０から携帯情報端末４０２に送信される（ステップＳ６０３）。次いで、携帯情報端末４０２において通知パターンデータの更新が完了したとき、携帯情報端末４０２から通知パターンサーバ４１０に対して切断要求が送信され、送信された切断要求を正常に受信したことを示す切断完了応答が通知パターンサーバ４１０から携帯情報端末４０２に通知されることによって通信が終了する。
以上説明したように、本発明の第２の実施の形態の通信システムは、通知パターンサーバが、通知パターンデータを地域毎に区分して管理し、現在位置に応じた地域の通知パターンデータを携帯情報端末に送信し、携帯情報端末は通知パターンサーバから通知パターンデータを取得することができるので、操作者が通知方法の設定を変更する操作をすることなく設定された通知方法を変更することができる。また、通知パターンサーバから現在位置に応じた地域の通知パターンデータが送信されるので通知パターンデータを記憶する容量を減らすことができる。
【産業上の利用可能性】  以上のように、本発明にかかる携帯情報端末および通信システムは、携帯情報端末を携帯した利用者の場所や使用している環境に応じて操作者が携帯情報端末の通知方法の設定を変更する操作をすることなく複数の通知方法の何れかに設定を変更することができるという効果を有し、位置および移動速度に応じて通知方法を変更する携帯情報端末および通信システム等として有用である。
【図１】
2004068826.tif 000003
【図２】
2004068826.tif 000004
【図３】
2004068826.tif 000005
【図４】
2004068826.tif 000006
【図５】
2004068826.tif 000007
【図６】
2004068826.tif 000008
【図７】
2004068826.tif 000009
【図８】
2004068826.tif 000010
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置および移動速度に応じて前記複数の通知方法が対応付けられたデータテーブルを記憶する記憶手段と、位置を算出する位置算出手段と、前記位置において移動速度を算出する移動速度算出手段と、前記位置算出手段によって算出された位置と前記移動速度算出手段によって算出された移動速度とに対応する通知方法を前記記憶手段に記憶されたデータテーブルから取得する取得手段と、前記取得手段が取得した通知方法に従って前記情報が通知されるよう前記通知手段に設定された前記通知方法を変更する通知方法変更手段とを備えることを特徴とする携帯情報端末。
【請求項２】
日時を日時情報として管理する日時情報管理手段を備え、  前記記憶手段は、位置、移動速度、および日時に応じて前記複数の通知方法が対応付けられたデータテーブルを記憶し、    前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにしたことを特徴とする請求項１に記載の携帯情報端末。  
【請求項３】
前記記憶手段は、複数の位置において位置毎に移動速度に応じて前記複数の通知方法が対応付けられたデータテーブルを記憶することを特徴とする請求項１に記載の携帯情報端末。  
【請求項４】
日時を日時情報として管理する日時情報管理手段を備え、    前記記憶手段は、複数の位置において位置毎に移動速度と日時に応じて前記複数の通知方法が対応付けられたデータテーブルを記憶し、    前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにしたことを特徴とする請求項３に記載の携帯情報端末。  
【請求項５】
情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置を算出する位置算出手段と、前記位置において移動速度を算出する移動速度算出手段と、前記位置算出手段によって算出された位置と前記移動速度算出手段によって算出された移動速度とに対応する通知方法をネットワークを介して取得する取得手段と、前記取得手段が取得した通知方法に従って前記情報が通知されるよう前記通知手段に設定された前記通知方法を変更する通知方法変更手段とを有する携帯情報端末と、    位置および移動速度に応じて前記複数の通知方法が対応付けられたデータテーブルを有し、前記携帯情報端末の位置算出手段が算出した位置と前記携帯情報端末の移動速度算出手段が算出した移動速度とに対応する通知方法を前記データテーブルから取得し、取得した通知方法を前記ネットワークを介して前記携帯情報端末に送信するサーバとを備えることを特徴とする通信システム。  
【請求項６】
前記携帯情報端末は、日時を日時情報として管理する日時情報管理手段を有し、    前記サーバは、前記複数の通知方法が位置、移動速度、および日時に応じて前記複数の通知方法が対応付けられたデータテーブルを有し、    前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにしたことを特徴とする請求項５に記載の通信システム。
【請求項７】
情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、複数の位置を含む地域において位置毎に移動速度に応じて前記複数の通知方法が対応付けられた１つの地域のデータテーブルを記憶する記憶手段と、位置を算出する位置算出手段と、前記位置において移動速度を算出する移動速度算出手段と、前記位置算出手段によって算出された位置が前記記憶手段に記憶された１つの地域のデータテーブルに含まれるか否かを判定し、前記位置算出手段によって算出された位置と前記移動速度算出手段によって算出された移動速度とに対応する通知方法を前記記憶手段に記憶された１つのデータテーブルから取得する取得手段と、前記取得手段が取得した通知方法に従って前記情報が通知されるよう前記通知手段に設定された前記通知方法を変更する通知方法変更手段と、前記位置算出手段によって算出された位置が前記記憶手段に記憶された１つの地域のデータテーブルに含まれないと前記取得手段が判定したとき、前記位置算出手段が算出した位置が示された位置情報をネットワークを介して送信する第１通信手段とを有する携帯情報端末と、  複数の地域のデータテーブルを管理する管理手段と、前記携帯情報端末の前記第１通信手段から送信される前記位置情報に応じて前記管理手段が管理する複数の地域のデータテーブルの内から１つの地域のデータテーブルを選択する選択手段と、前記選択手段が選択した１つの地域のデータテーブルを前記携帯情報端末に送信する第２通信手段とを有するサーバとを備え、    前記携帯情報端末の前記第１通信手段は、前記サーバから前記ネットワークを介して前記１つの地域のデータテーブルを受信し、前記受信した１つの地域のデータテーブルに従って前記携帯情報端末の前記記憶手段に記憶された前記１つの地域のデータテーブルを変更するようにしたことを特徴とする通信システム。  
【請求項８】
前記携帯情報端末は、現在の日時を日時情報として管理する日時情報管理手段を有し、  前記携帯情報端末の前記記憶手段は、前記複数の位置において位置毎に移動速度および日時に応じて前記複数の通知方法が対応付けられた１つのデータテーブルを記憶し、    前記サーバの前記管理手段は、複数の位置において位置毎に移動速度および日時に応じて前記複数の通知方法が対応付けられた複数の地域のデータテーブルを有し、    前記携帯情報端末の前記取得手段は、前記位置算出手段によって算出された位置と前記移動速度算出手段によって算出された移動速度と前記日時情報管理手段によって管理された日時とに対応する通知方法を前記記憶手段に記憶された１つのデータテーブルから取得するようにしたことを特徴とする請求項７に記載の通信システム。  
【請求項９】
前記携帯情報端末は、予め設定された時間を周期として時間を計時する計時手段を有し、  前記携帯情報端末の前記取得手段は、前記予め設定された時間毎に前記位置算出手段によって算出された位置と前記移動速度算出手段によって算出された移動速度とに対応する通知方法をネットワークを介して前記サーバから取得するようにしたことを特徴とする請求項５に記載の通信システム。  
【請求項１０】
前記携帯情報端末は、予め設定された時間を周期として時間を計時する計時手段を有し、  前記携帯情報端末の前記取得手段は、前記予め設定された時間毎に前記位置算出手段によって算出された位置と前記移動速度算出手段によって算出された移動速度と前記日時情報管理手段によって管理された日時とに対応する通知方法をネットワークを介して前記サーバから取得するようにしたことを特徴とする請求項６に記載の通信システム。  
【請求項１１】
前記携帯情報端末は、予め設定された時間を周期として時間を計時する計時手段を有し、  前記携帯情報端末の前記取得手段は、前記予め設定された時間毎に前記位置算出手段によって算出された位置と前記移動速度算出手段によって算出された移動速度とに対応する地域のデータテーブルをネットワークを介して前記サーバから取得するようにしたことを特徴とする請求項７に記載の通信システム。  
【請求項１２】
前記携帯情報端末は、予め設定された時間を周期として時間を計時する計時手段を有し、  前記携帯情報端末の前記取得手段は、前記予め設定された時間毎に前記位置算出手段によって算出された位置と前記移動速度算出手段によって算出された移動速度と前記日時情報管理手段によって管理された日時とに対応する地域のデータテーブルをネットワークを介して前記サーバから取得するようにしたことを特徴とする請求項８に記載の通信システム。
【請求項１３】
前記携帯情報端末の前記通知手段は、前記通知手段に設定された通知方法の有効期限を示す有効期限情報を有し、  前記携帯情報端末の前記取得手段は、前記携帯情報端末の前記通知手段に設定された通知方法の有効期限が超過したのか否かを判定し、    前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度とに対応する通知方法を前記ネットワークを介して前記サーバから取得するようにしたことを特徴とする請求項５に記載の通信システム。  
【請求項１４】
前記携帯情報端末の前記通知手段は、前記通知手段に設定された通知方法の有効期限を示す有効期限情報を有し、  前記携帯情報端末の前記取得手段は、前記携帯情報端末の前記通知手段に設定された通知方法の有効期限が超過したのか否かを判定し、    前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにしたことを特徴とする請求項６に記載の通信システム。  
【請求項１５】
前記携帯情報端末の前記記憶手段は、前記記憶手段に記憶された１つの地域のデータテーブルの有効期限を示す有効期限情報を記憶し、    前記携帯情報端末の前記取得手段は、前記記憶手段に記憶された１つの地域のデータテーブルの有効期限が超過したのか否かを判定し、    前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度とに対応する地域のデータテーブルを前記ネットワークを介して前記サーバから取得するようにしたことを特徴とする請求項７に記載の通信システム。  
【請求項１６】
前記携帯情報端末の前記記憶手段は、前記記憶手段に記憶された１つの地域のデータテーブルの有効期限を示す有効期限情報を記憶し、    前記携帯情報端末の前記取得手段は、前記記憶手段に記憶された１つの地域のデータテーブルの有効期限が超過したのか否かを判定し、    前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する地域のデータテーブルを前記ネットワークを介して前記サーバから取得するようにしたことを特徴とする請求項８に記載の通信システム。
【手続補正２】
【補正対象書類名】明細書
【補正対象項目名】全文
【補正方法】変更
【補正の内容】
【発明の詳細な説明】
【技術分野】
【０００１】  本発明は、携帯情報端末および通信システムに関し、詳しくは、位置および移動速度に応じて通知方法を変更する携帯情報端末および通信システムに関する。  
【背景技術】
【０００２】  従来、この種の携帯情報端末として電車内や映画館などのように携帯情報端末の使用が望ましくない場所において操作者が情報の通知方法を変更する操作や電源を切断する操作を実行することなく通知方法を変更するものが知られている（例えば、特許文献１参照）。【０００３】  ここで、携帯情報端末とは、携帯電話、ポータブルオーディオ再生装置、ディジタルスチルカメラ、ゲーム機器、ノートパソコン、カーナビゲーション装置、カーオーディオなどの電子機器を含み、音による聴覚的通知方法と文字、図形、および光の視覚的通知方法と振動による触覚的通知方法とを含む複数の通知方法の何れかによって操作者に情報を通知する携帯可能な情報機器をいう。【０００４】  従来の通信システムは、図８に示すように、携帯情報端末の通過方向を検出する方向検出手段２と、制御信号を生成する信号生成手段３と、制御信号を発信する信号発信手段４とを有するセンサ１と、センサ１からの制御信号を受信する信号受信手段６と、受信した制御信号を検知する信号検知手段７と、発着信を制御する発着信制御手段８と、着信音または着信振動による着信通知手段と、移動している状態か否かを判定するするセンサとを有する携帯情報端末５とを備え、センサ１は、携帯情報端末５の発着信を制限したい区域の出入口に設置され、センサ１が検出した結果に応じて着信音と着信振動の切り替え、または着信音量の変更、もしくは着信振動の振動数を変更するようになっていた。  【特許文献１】特開２００１‐１８９７９７号公報
【発明の開示】
【発明が解決しようとする課題】
【０００５】  本発明は、従来の通信システムをさらに改良する発明であって、携帯情報端末を携帯している場所や使用している環境に応じて操作者が操作することなく複数の通知方法の何れかに設定を変更する携帯情報端末および通信システムを提供することを目的とする。
【課題を解決するための手段】
【０００６】  第１の発明の携帯情報端末は、情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置および移動速度に応じて前記複数の通知方法が対応付けられたデータテーブルを記憶する記憶手段と、位置を算出する位置算出手段と、前記位置において移動速度を算出する移動速度算出手段と、前記位置算出手段によって算出された位置と前記移動速度算出手段によって算出された移動速度とに対応する通知方法を前記記憶手段に記憶されたデータテーブルから取得する取得手段と、前記取得手段が取得した通知方法に従って前記情報が通知されるよう前記通知手段に設定された前記通知方法を変更する通知方法変更手段とを備える構成を有している。【０００７】  この構成により、携帯情報端末を携帯したユーザが移動中であっても移動手段が何かを適切に判断し、判断した結果に応じて位置および移動速度に対応する通知方法を取得し、取得した通知方法に変更することができる。【０００８】  ここで、視覚的通知方法による表示とは、文字や図形による表示、および光などの視覚で認識できる方法により通知することである。【０００９】  第２の発明の携帯情報端末は、日時を日時情報として管理する日時情報管理手段を備え、前記記憶手段は、位置、移動速度、および日時に応じて前記複数の通知方法が対応付けられたデータテーブルを記憶し、前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにした構成を有している。【００１０】  この構成により、時間帯によって使用環境が変わるような場所であっても、位置、移動速度、および現在の日時に対応する通知方法を取得し、取得した通知方法に変更することができる。【００１１】  第３の発明の携帯情報端末は、前記記憶手段は、複数の位置において位置毎に移動速度に応じて前記複数の通知方法が対応付けられたデータテーブルを記憶するようにした構成を有している。【００１２】  この構成により、携帯情報端末を携帯したユーザが移動中であっても移動手段が何かを適切に判断し、判断した結果に応じて位置および移動速度に対応する通知方法を取得し、取得した通知方法に変更することができる。【００１３】  第４の発明の携帯情報端末は、日時を日時情報として管理する日時情報管理手段を備え、前記記憶手段は、複数の位置において位置毎に移動速度と日時に応じて前記複数の通知方法が対応付けられたデータテーブルを記憶し、前記取得手段は、前記位置算出手段によって算出された位置と前記移動速度算出手段によって算出された移動速度と前記日時情報管理手段によって管理された日時とに対応する通知方法を前記記憶手段に記憶されたデータテーブルから取得するようにした構成を有している。【００１４】  この構成により、時間帯によって使用環境が変わるような場所であっても、位置、移動速度、および現在の日時に対応する通知方法を取得し、取得した通知方法に変更することができる。【００１５】  第５の発明の通信システムは、情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、位置を算出する位置算出手段と、前記位置において移動速度を算出する移動速度算出手段と、前記位置算出手段によって算出された位置と前記移動速度算出手段によって算出された移動速度とに対応する通知方法をネットワークを介して取得する取得手段と、前記取得手段が取得した通知方法に従って前記情報が通知されるよう前記通知手段に設定された前記通知方法を変更する通知方法変更手段とを有する携帯情報端末と、位置および移動速度に応じて前記複数の通知方法が対応付けられたデータテーブルを有し、前記携帯情報端末の位置算出手段が算出した位置と前記携帯情報端末の移動速度算出手段が算出した移動速度とに対応する通知方法を前記データテーブルから取得し、取得した通知方法を前記ネットワークを介して前記携帯情報端末に送信するサーバとを備える構成を有している。【００１６】  この構成により、携帯情報端末は、サーバから通知方法を受信することができるので、位置および移動速度に対応する通知方法を取得し、取得した通知方法に変更することができる。【００１７】  第６の発明の通信システムは、前記携帯情報端末は、日時を日時情報として管理する日時情報管理手段を有し、前記サーバは、前記複数の通知方法が位置、移動速度、および日時に応じて前記複数の通知方法が対応付けられたデータテーブルを有し、前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにした構成を有している。 【００１８】  この構成により、時間帯によって使用環境が変わるような場所であっても、携帯情報端末は、サーバから通知方法を受信することができるので、位置、移動速度、および現在の日時に対応する通知方法を取得し、取得した通知方法に変更することができる。【００１９】  第７の発明の通信システムは、情報を通知する通知方法として音による聴覚的通知方法と表示による視覚的通知方法と振動による触覚的通知方法とを含む複数の通知方法の内の何れかが設定され、設定された通知方法に従って前記情報を通知する通知手段と、複数の位置を含む地域において位置毎に移動速度に応じて前記複数の通知方法が対応付けられた１つの地域のデータテーブルを記憶する記憶手段と、位置を算出する位置算出手段と、前記位置において移動速度を算出する移動速度算出手段と、前記位置算出手段によって算出された位置が前記記憶手段に記憶された１つの地域のデータテーブルに含まれるか否かを判定し、前記位置算出手段によって算出された位置と前記移動速度算出手段によって算出された移動速度とに対応する通知方法を前記記憶手段に記憶された１つのデータテーブルから取得する取得手段と、前記取得手段が取得した通知方法に従って前記情報が通知されるよう前���通知手段に設定された前記通知方法を変更する通知方法変更手段と、前記位置算出手段によって算出された位置が前記記憶手段に記憶された１つの地域のデータテーブルに含まれないと前記取得手段が判定したとき、前記位置算出手段が算出した位置が示された位置情報をネットワークを介して送信する第１通信手段とを有する携帯情報端末と、  複数の地域のデータテーブルを管理する管理手段と、前記携帯情報端末の前記第１通信手段から送信される前記位置情報に応じて前記管理手段が管理する複数の地域のデータテーブルの内から１つの地域のデータテーブルを選択する選択手段と、前記選択手段が選択した１つの地域のデータテーブルを前記携帯情報端末に送信する第２通信手段とを有するサーバとを備え、  前記携帯情報端末の前記第１通信手段は、前記サーバから前記ネットワークを介して前記１つの地域のデータテーブルを受信し、前記受信した１つの地域のデータテーブルに従って前記携帯情報端末の前記記憶手段に記憶された前記１つの地域のデータテーブルを変更するようにした構成を有している。【００２０】  この構成により、携帯情報端末は、サーバから地域のデータテーブルを受信することができるので、位置および移動速度に対応する通知方法を地域のデータテーブルから取得し、取得した通知方法に変更することができる。また、携帯情報端末は、記憶手段に記憶された地域のデータテーブルを位置に応じて更新することができる。【００２１】  第８の発明の通信システムは、前記携帯情報端末は、現在の日時を日時情報として管理する日時情報管理手段を有し、前記携帯情報端末の前記記憶手段は、前記複数の位置において位置毎に移動速度および日時に応じて前記複数の通知方法が対応付けられた１つのデータテーブルを記憶し、  前記サーバの前記管理手段は、複数の位置において位置毎に移動速度および日時に応じて前記複数の通知方法が対応付けられた複数の地域のデータテーブルを有し、前記携帯情報端末の前記取得手段は、前記位置算出手段によって算出された位置と前記移動速度算出手段によって算出された移動速度と前記日時情報管理手段によって管理された日時とに対応する通知方法を前記記憶手段に記憶された１つのデータテーブルから取得するようにした構成を有している。 この構成により、携帯情報端末は、サーバから地域のデータテーブルを受信することができるので、位置、移動速度、および日時に対応する通知方法を地域のデータテーブルから取得し、取得した通知方法に変更することができる。また、携帯情報端末は、記憶手段に記憶された地域のデータテーブルを位置に応じて更新することができる。【００２２】  第９の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度とに対応する通知方法をネットワークを介して前記サーバから取得するようにした構成を有している。【００２３】  この構成により、各携帯情報端末は、サーバから予め設定された時間毎に通知方法を受信することができるので、設定手段に設定された通知���法を予め設定された時間毎に更新することができる。【００２４】  第１０の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度と前記日時情報管理手段によって管理された日時とに対応する通知方法をネットワークを介して前記サーバから取得するようにした構成を有している。【００２５】  この構成により、各携帯情報端末は、サーバから予め設定された時間毎に通知方法を受信することができるので、設定手段に設定された通知方法を予め設定された時間毎に更新することができる。【００２６】  第１１の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度とに対応する地域のデータテーブルをネットワークを介して前記サーバから取得するようにした構成を有している。【００２７】  この構成により、各携帯情報端末は、サーバから予め設定された時間毎に通知方法を受信することができるので、記憶手段に記憶された地域のデータテーブルを予め設定された時間毎に更新することができる。【００２８】  第１２の発明の通信システムは、前記携帯情報端末は、予め設定された時間を周期として時間を計時する計時手段を有し、前記携帯情報端末の前記取得手段は、前記予め設定された時間毎に前記位置算出手段によって算出された位置と前記移動速度算出手段によって算出された移動速度と前記日時情報管理手段によって管理された日時とに対応する地域のデータテーブルをネットワークを介して前記サーバから取得するようにした構成を有している。【００２９】  この構成により、各携帯情報端末は、サーバから予め設定された時間毎に通知方法を受信することができるので、記憶手段に記憶された地域のデータテーブルを予め設定された時間毎に更新することができる。【００３０】  第１３の発明の通信システムは、前記携帯情報端末の前記通知手段は、前記通知手段に設定された通知方法の有効期限を示す有効期限情報を有し、前記携帯情報端末の前記取得手段は、前記携帯情報端末の前記通知手段に設定された通知方法の有効期限が超過したのか否かを判定し、前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度とに対応する通知方法を前記ネットワークを介して前記サーバから取得するようにした構成を有している。【００３１】  この構成により、通知手段に設定された通知方法の有効期限が超過している場合、位置および移動速度に対応する通知方法をサーバから取得することができる。【００３２】  第１４の発明の通信システムは、前記携帯情報端末の前記通知手段は、前記通知手段に設定された通知方法の有効期限を示す有効期限情報を有し、前記携帯情報端末の前���取得手段は、前記携帯情報端末の前記通知手段に設定された通知方法の有効期限が超過したのか否かを判定し、前記携帯情報端末の前記通知手段に設定された通知方法の有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する通知方法を前記ネットワークを介して前記サーバから取得するようにした構成を有している。【００３３】  この構成により、通知手段に設定された通知方法の有効期限が超過している場合、位置、移動速度、および日時に対応する通知方法をサーバから取得することができる。【００３４】  第１５の発明の通信システムは、前記携帯情報端末の前記記憶手段は、前記記憶手段に記憶された１つの地域のデータテーブルの有効期限を示す有効期限情報を記憶し、前記携帯情報端末の前記取得手段は、前記記憶手段に記憶された１つの地域のデータテーブルの有効期限が超過したのか否かを判定し、前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度とに対応する地域のデータテーブルを前記ネットワークを介して前記サーバから取得するようにした構成を有している。【００３５】  この構成により、記憶手段に記憶された１つの地域のデータテーブルの有効期限が超過している場合、位置および移動速度に対応する地域のデータテーブルをサーバから取得することができる。【００３６】  第１６の発明の通信システムは、前記携帯情報端末の前記記憶手段は、前記記憶手段に記憶された１つの地域のデータテーブルの有効期限を示す有効期限情報を記憶し、前記携帯情報端末の前記取得手段は、前記記憶手段に記憶された１つの地域のデータテーブルの有効期限が超過したのか否かを判定し、前記記憶手段に記憶された１つの地域のデータテーブルの有効期限が超過したと判定した場合、前記携帯情報端末の前記取得手段は、前記位置算出手段によって算出された位置と前記移動速度算出手段によって算出された移動速度と前記日時情報管理手段によって管理された日時とに対応する地域のデータテーブルを前記ネットワークを介して前記サーバから取得するようにした構成を有している。【００３７】  この構成により、記憶手段に記憶された１つの地域のデータテーブルの有効期限が超過している場合、位置、移動速度、および日時に対応する地域のデータテーブルをサーバから取得することができる。
【発明の効果】
【００３８】  本発明は、携帯情報端末を携帯した利用者の場所や使用している環境に応じて操作者が携帯情報端末の通知方法の設定を変更する操作をすることなく複数の通知方法の何れかに設定を変更することができるという効果を有する携帯情報端末および通信システムを提供するものである。
【発明を実施するための最良の形態】
【００３９】  以下、図１乃至７を参照し、本発明の実施の形態の携帯情報端末および通信システムについて説明する。【００４０】  まず初めに、本発明の第１の実施の形態の携帯情報端末および通信システムについて説明する。【００４１】  図1に示すように、本発明の第１の実施の形態の携帯情報端末１０１は、情報を通知する通知方法として音による聴覚的通知方法と文字、図形、および光などの表示による視覚的通知方法と振動による触覚的通知方法とを含む複数の通知方法の内の何れかが設定され、設定された通知方法に従って前記情報を通知する通知部１０９と、複数の位置において位置毎に移動速度に応じて複数の通知方法が対応付けられた通知パターンデータを示すデータテーブルを記憶する通知パターンデータ記憶部１０４と、現在位置および移動速度を検出するセンサ部１０２と、センサ部１０２によって検出された現在位置および移動速度の誤差を補正し、現在位置および移動速度を算出する測位演算部１０３と、現在の日時を日時情報として管理する日時情報管理部１０５と、複数の通知方法の何れかが設定される出力ポート１０８と、アプリケーションソフトを実行し、実行した結果を出力ポート１０８に出力するアプリケーション実行部１０７と、測位演算部１０３によって算出された現在位置および移動速度と通知パターンデータ記憶部１０４に記憶された通知パターンデータとを比較し、現在位置および移動速度に対応する通知方法を通知パターンデータ記憶部１０４から取得し、取得した通知パターンデータが示す通知方法に従って通知されるよう出力ポート１０８に設定された通知方法を変更するよう出力ポート１０８を制御する通知方法制御部１０６と、出力ポート１０８に設定された通知方法に従ってアプリケーションソフトが実行された結果、すなわち、情報を通知する通知部１０９とを備えている。【００４２】  また、通知部１０９は、音による聴覚的通知方法と文字、図形、および光の視覚的通知方法と振動による触覚的通知方法とを含む複数の通知方法に対応するよう、スピーカおよびスピーカの音量を制御する音量制御部、発光素子（以下単に、ＬＥＤという）、ディスプレイ、およびバイブレータを有している。【００４３】  また、センサ部１０２と測位演算部１０３は位置算出手段および移動速度算出手段を構成し、通知方法制御部１０６は取得手段と通知方法変更手段を構成し、通知パターンデータ記憶部１０４、日時情報管理部１０５、および通知部１０９はそれぞれ記憶手段、日時情報管理手段、および通知手段を構成している。また、センサ部１０２は、グローバルポジショニングシステム（以下単に、ＧＰＳという）のＧＰＳ受信機、方位センサ、および速度センサによって構成されている。 【００４４】  ＧＰＳ受信機は、ＧＰＳ衛星から信号を受信し、受信したＧＰＳ衛星の信号の伝播時間を計測し、現在位置を算出するようになっている。また、ＧＰＳ衛星から受信した信号の受信周波数のドップラーシフト量を計測し、携帯情報端末１０１の移動速度を算出してもよい。また、ＧＰＳ衛星からの信号を受信できない屋内ではＧＰＳ受信機は測位ができないので、単位時間当たりの車輪の回転数や歩数を計測するような速度センサと、地磁気方位センサ���たはジャイロセンサによって旋回時の角速度出力を積分する方位センサとを組み合わせて測位を実行してもよい。また、道路交通情報通信システムの電波ビーコンまたは光ビーコン、自動料金収受システム、または無線通信によりローカルエリアネットワークのホットスポットサービスなどの信号を受信し、位置を特定してもよい。【００４５】  また、本実施の形態の携帯情報端末１０１は、操作者が携帯情報端末１０１を携帯している場所や使用している環境に応じて通知方法が変更されるよう移動速度を検出する速度センサを備えているが、予め設定された時間毎に算出される現在位置から単位時間当たりの位置の差分を算出し、算出した差分から平均移動速度を求めてもよい。【００４６】  また、本実施の形態の携帯情報端末１０１は、操作者が携帯情報端末１０１を携帯している場所や使用している環境に応じて通知方法が変更されるよう現在の日時を示す日時情報を管理する日時情報管理部１０５を備えているが、ＧＰＳ受信機を利用して日時を計時してもよい。 【００４７】  さらに、本実施の形態の携帯情報端末１０１において、操作者が携帯情報端末１０１を携帯している場所や使用している環境に応じて通知方法が変更されるよう通知パターンデータ記憶部１０４は、位置毎に移動速度と複数の通知方法とを対応付けた通知パターンデータを記憶し、通知方法制御部１０６が、測位演算部１０３によって算出された現在位置および移動速度に対応する通知パターンデータを通知パターンデータ記憶部１０４から取得するようになっているが、通知パターンデータ記憶部１０４は、位置毎に移動速度および日時と複数の通知方法とを対応付けた通知パターンデータを記憶し、通知方法制御部１０６が、測位演算部１０３によって算出された現在位置および移動速度と日時情報管理部１０５によって管理された日時情報が示す現在の日時とに対応する通知パターンデータを通知パターンデータ記憶部１０４から取得するようにしてもよい。【００４８】  次に、図２を参照し、携帯情報端末１０１の動作を説明する。【００４９】  まず初めに、センサ部１０２が取得した現在位置および移動速度が補正され、携帯情報端末１０１の現在位置および移動速度が測位演算部１０３によって算出される（ステップＳ２０１）。次いで、日時情報管理部１０５によって現在の日付および時刻が取得される(ステップＳ２０２)。次いで、ステップＳ２０１で算出された現在位置および移動速度に対応する通知パターンデータが通知パターンデータ記憶部１０４から取得される。このとき、測位演算部１０３によって算出された現在位置および移動速度と通知パターンデータ記憶部１０４に記憶された通知パターンデータとが比較され、測位演算部１０３によって算出された現在位置が通知パターンデータの示す位置範囲内であるのか否か、および測位演算部１０３によって算出された移動速度が通知パターンデータの示す速度範囲内であるのか否かが判定され、判定条件を満たすと判定されたときステップＳ２０４に進み、判定条件を満たさないと判定されたときステップＳ２０５に進む（ステップＳ２０３）。次いで、ステップＳ２０２で取得した日時情報が示す現在の日時と通知パターンデータ記憶部１０４の通知パターンデータに含まれる日時情報が示す日時とが一致しているかどうかが判定され、一致していると判定されたときステップＳ２０５に進み、一致していないと判定されたときステップＳ２０６に進む（ステップＳ２０４）。【００５０】  次いで、情報を通知する通知方法として文字、図形、および光の視覚的通知方法が出力ポート１０８に設定され、出力ポート１０８の設定に従って文字情報が通知される（ステップＳ２０５）。【００５１】  一方、情報を通知する通知方法として音による聴覚的通知方法が出力ポート１０８に設定され、出力ポート１０８の設定に従って音声で通知される(ステップＳ２０６)。 【００５２】  また、操作者が携帯情報端末１０１を携帯している場所や使用している環境に応じて通知方法が変更されるよう移動速度の上限値と下限値を示す速度情報を含む通知パターンデータを予め通知パターンデータ記憶部１０４に記憶しておくことにより、通知パターンデータと測位演算部１０３によって算出された移動速度とを比較して、携帯情報端末１０１を携帯する操作者が乗物に乗車して移動中であるのか、徒歩で移動中であるのかを適切に判定することができる。さらに、バスや電車などの時刻情報と路線情報を予め通知パターンデータ記憶部１０４に記憶しておくことにより、公共機関の乗物に乗って移動中であるのか否かを判定することができる。さらに、公共機関の乗物に乗って移動中でないと判定したときには、操作者が自動車を運転している可能性があることを考慮し、文字情報として出力すると周囲道路への注意力が低下して危険であるため、文字情報を音声にて読み上げる。また、公共機関の乗物に乗って移動していると判定できるときには、周囲の人に迷惑がかかるような騒音を発生させないよう文字表示にて通知する。【００５３】  本実施の形態の携帯情報端末１０１は、情報を通知する方法として、文字表示による通知と音声による通知の例について説明したが、音声の音量や音色を変えたり、文字の表示色や文字数などを変更するような構成としても良い。【００５４】  次に、図３を参照し、通知パターンデータ記憶部１０４に記憶された通知パターンデータの内容について説明する。【００５５】  通知パターンデータの通知方法３０１には、情報を通知する通知方法として音による聴覚的通知方法と文字、図形、および光の視覚的通知方法と振動による触覚的通知方法とを含む複数の通知方法の何れかが設定される。この通知方法３０１には、例えば、通知部１０９の音声、画面表示、および振動による通知方法と数値とを対応付けて通知方法が設定される。さらに通知方法３０１には、通知方法に応じて音量や文字数、振動数などのデータを加えても良い。次に、時刻条件３０２には、通知パターンデータを有効とする曜日、日付、時間等の情報が数値と対応付けて設定される。次に、速度範囲３０３には、通知パターンデータを有効とする速度範囲について、速度上限値と下限値が設定される。位置情報種別３０４には、位置情報が示す位置は点、線、領域の何れを示すのかが数値と対応付けて設定される。次に、位置情報データ３０５には、位置情報種別３０４に設定された内容に応じて、緯度、経度、高度等の位置データの集合が設定される。【００５６】  また���通知パターンデータ記憶部１０４は、図４に示すように、位置と移動速度に応じて複数の内の少なくとも１つの通知方法が関連付けられたデータテーブルを有している。【００５７】  以上説明したように、本発明の第１の実施の形態の携帯情報端末は、センサ部によって算出された現在位置および移動速度に対応する通知パターンデータを記憶部から取得し、取得した通知パターンデータが示す通知方法に変更されるので、携帯されている場所や使用されている環境に応じた通知方法で情報を通知することができる。 【００５８】  次に、図５を参照し、本発明の第２の実施の形態の通信システムについて説明する。【００５９】  通信システム４０１は、携帯情報端末４０２と、携帯情報端末４０２と通信する通知パターンサーバ４１０とを備えている。携帯情報端末４０２は、第１の実施の形態の携帯情報端末１０１の構成に加え、第１通信制御部４０３を有している。【００６０】  携帯情報端末４０２の第１通信制御部４０３は、通知パターンサーバ４１０と通信するときの接続および切断を制御し、測位演算部１０３が算出した現在位置が示された位置情報を通知パターンサーバ４１０に送信し、通知パターンサーバ４１０から位置情報が示す現在位置に応じた地域の通知パターンデータを受信し、通知パターンデータ記憶部１０４に記憶するようになっている。【００６１】  通知パターンサーバ４１０は、複数の位置を複数の地域に区分し、通知パターンデータを地域毎に管理する通知パターンデータセット記憶部４１２と、地域毎に管理された通知パターンデータから位置情報が示す現在位置に応じた地域の通知パターンデータを選択する通知パターン選択部４１３と、携帯情報端末４０２から位置情報を受信し、受信した位置情報が示す現在位置に応じた地域の通知パターンデータを携帯情報端末４０２に送信する第２通信制御部４１１とを有している。 【００６２】  また、通知パターンデータセット記憶部４１２と通知パターン選択部４１３は、それぞれ管理手段と選択手段を構成している。【００６３】  第２通信制御部４１１は、携帯情報端末４０２から接続要求されると、使用者情報やパスワードにより接続するのか否かを判定する認証処理を実行するようになっている。また、通知パターンデータセット記憶部４１２は、ハードディスク装置、磁気テープ、半導体メモリなどの記憶装置によって構成され、図３に示された複数の通知パターンデータを記憶するようになっている。さらに、携帯情報端末４０２と通知パターンサーバ４１０とは、通信手段４２０を介して接続されている。この通信手段４２０は、携帯電話や無線ローカルエリアネットワークなどによる無線通信や、イーサーネット、加入電話回線、ユニバーサルシリアルバスなどの有線通信によって構成される。【００６４】  次に、図６および図７を参照し、通信システムの動作について説明する。【００６５】  通信手段４２０の有無が判定され、通信手段４２０が接続されていると判定されたときにはステップＳ５０２に進み、通信手段４２０が接続されていないと判定されたときには処理を終了する（ステップＳ５０１）。携帯情報端末４０２の現在位置が測位演算部１０３によって算出される（ステップＳ５０２）。次いで、��在の日時が日時情報管理部１０５によって取得される（ステップＳ５０３）。次いで、通知パターンデータを更新するのか否かが判定され、通知パターンデータを更新すると判定されたときにはステップＳ５０７に進み、通知パターンデータを更新しないと判定されたときにはステップＳ５０５に進む（ステップＳ５０４）。次いで、通知パターンデータの有効期間が超過したのか否かが判定され、通知パターンデータが有効期間を超過したと判定されたときにはステップＳ５０７に進み、通知パターンデータが有効期間を超過していないと判定されたときにはステップＳ５０６に進む（ステップＳ５０５）。次いで、ステップＳ５０２で算出された現在位置が通知パターンデータ記憶部１０４に記憶された通知パターンデータの有効範囲内であるのか否かが判定され、有効範囲内であると判定されたときには処理を終了し、有効範囲外であると判定されたときにはステップＳ５０７に進む（ステップＳ５０６）。次いで、第１通信制御部４０３から第２通信制御部４１１に対して接続要求が送信され、通知パターンサーバ４１０において認証が成功したとき、認証が成功したことを示す接続完了応答が第２通信制御部４１１から第１通信制御部４０３に送信される（ステップＳ５０７）。次いで、第１通信制御部４０３から通知パターンサーバ４１０に位置情報が送信され、送信された位置情報が示す現在位置に応じた地域の通知パターンデータが通知パターンサーバ４１０から第１通信制御部に送信される（ステップＳ５０８）。次いで、通知パターンサーバ４１０から受信した通知パターンデータに従って通知パターンデータ記憶部１０４に記憶された通知パターンデータが更新される（ステップＳ５０９）。次いで、第１通信制御部４０３から通知パターンサーバ４１０に対して切断要求が送信され、第１通信制御部４０３が通知パターンサーバ４１０から送信された通信完了応答を受信し、処理を終了する（ステップＳ５１０）。【００６６】  図７を参照し、携帯情報端末４０２と通知パターンサーバ４１０との間の通信手順を説明する。【００６７】  まず初めに、携帯情報端末４０２から通知パターンサーバ４１０に接続要求が送信される（ステップＳ６０１）。このとき、携帯情報端末４０２から通知パターンサーバ４１０に対して使用者識別情報やパスワードが送信され、通知パターンサーバ４１０において認証が成功したときには、認証が成功したことを示す接続完了応答が携帯情報端末４０２に送信される（ステップＳ６０１）。次いで、携帯情報端末４０２から通知パターンサーバ４１０に現在位置が示された位置情報が送信される（ステップＳ６０２）。次いで、位置情報に応じた地域の通知パターンデータが通知パターンサーバ４１０から携帯情報端末４０２に送信される（ステップＳ６０３）。次いで、携帯情報端末４０２において通知パターンデータの更新が完了したとき、携帯情報端末４０２から通知パターンサーバ４１０に対して切断要求が送信され、送信された切断要求を正常に受信したことを示す切断完了応答が通知パターンサーバ４１０から携帯情報端末４０２に通知されることによって通信が終了する。【００６８】  以上説明したように、本発明の第２の実施の形態の通信システム��、通知パターンサーバが、通知パターンデータを地域毎に区分して管理し、現在位置に応じた地域の通知パターンデータを携帯情報端末に送信し、携帯情報端末は通知パターンサーバから通知パターンデータを取得することができるので、操作者が通知方法の設定を変更する操作をすることなく設定された通知方法を変更することができる。また、通知パターンサーバから現在位置に応じた地域の通知パターンデータが送信されるので通知パターンデータを記憶する容量を減らすことができる。
【産業上の利用可能性】
【００６９】  以上のように、本発明にかかる携帯情報端末および通信システムは、携帯情報端末を携帯した利用者の場所や使用している環境に応じて操作者が携帯情報端末の通知方法の設定を変更する操作をすることなく複数の通知方法の何れかに設定を変更することができるという効果を有し、位置および移動速度に応じて通知方法を変更する携帯情報端末および通信システム等として有用である。
【図面の簡単な説明】
【００７０】
【図１】本発明の第１の実施の形態の携帯情報端末の構成を示すブロック図
【図２】本発明の第１の実施の形態の携帯情報端末の動作を示すフローチャート
【図３】本発明の第１の実施の形態の携帯情報端末の記憶部に記憶された通知パターンデータの構成を示す図
【図４】本発明の第１の実施の形態の携帯情報端末の記憶部に記憶された通知パターンデータであって、位置と移動速度に応じて通知方法が関連付けられたデータテーブルの一例を示す図
【図５】本発明の第２の実施の形態の通信システムの構成を示すブロック図
【図６】本発明の第２の実施の形態の通信システムの動作を示すフローチャート
【図７】本発明の第２の実施の形態の通信システムの通信手順を示すタイミングチャート
【図８】従来の通信システムを示すブロック図
【手続補正３】
【補正対象書類名】図面
【補正対象項目名】全図
【補正方法】変更
【補正の内容】
【図１】
2004068826.tif 000011
【図２】
2004068826.tif 000012
【図３】
2004068826.tif 000013
【図４】
2004068826.tif 000014
【図５】
2004068826.tif 000015
【図６】
2004068826.tif 000016
【図７】
2004068826.tif 000017
【図８】
2004068826.tif 000018
【国際調査報告】
2004068826.tif 000019
2004068826.tif 000020
2004068826.tif 000021
2004068826.tif 000022